(57)【要約】【課題】特段の連結部材を用いずに各ブラケット同士を一体化させ、左右の棚板の相対移動を確実に防止できる棚板連結装置を提供する。【解決手段】第１ブラケット１５には、垂直片１５１の上端から左右の一方に延びる水平片１５２と、垂直片１５１及び水平片１５２との間に介在する角部１５４と、が設けられ、第２ブラケット１６には、垂直片１６１の上端から左右の他方に延びる水平片１６２と、垂直片１６１及び水平片１６２との間に介在する角部１６４と、が設けられており、第１ブラケット１５及び第２ブラケット１６が立設体３に係止されたときに、第１ブラケット１５の垂直片１５１と水平片１５２との角部１５４が、第２ブラケット１６の垂直片１６１上に位置するとともに、第２ブラケット１６の垂直片１６１と水平片１６２との角部１６４が、第１ブラケット１５の垂直片１５１上に位置する。【選択図】図７
2015136392.tif 000002
【特許請求の範囲】
【請求項１】
少なくとも第１棚板と第２棚板とが左右に隣接した部分を有する棚部が、床面から立設する立設体の前面に配置された収容棚における棚板連結装置であって、
前記第１棚板を前記立設体に接続する第１ブラケットと、前記第２棚板を前記立設体に接続する第２ブラケットと、を備え、
前記各ブラケットは、垂直に延びる垂直片と、前記垂直片の後端に設けられ前記立設体に列設された係止孔に係止可能なフックと、を有し、
前記第１ブラケットには、前記垂直片の上端から左右の一方に延びる水平片と、前記垂直片及び前記水平片との間に介在する角部と、が設けられ、前記第２ブラケットには、前記垂直片の上端から左右の他方に延びる水平片と、前記垂直片及び前記水平片との間に介在する角部と、が設けられており、
前記第１ブラケット及び前記第２ブラケットが前記立設体に係止されたときに、前記第１ブラケットの垂直片と水平片との角部が、前記第２ブラケットの垂直片上に位置するとともに、前記第２ブラケットの垂直片と水平片との角部が、前記第１ブラケットの垂直片上に位置することを特徴とする棚板連結装置。
【請求項２】
前記第２ブラケットの水平片は、該第２ブラケットの垂直片の前後両端側に配置されていることを特徴とする請求項１に記載の棚板連結装置。
【請求項３】
前記第１ブラケットの前記角部の前後方向の長さと、前記第２ブラケットの前記水平片間の間隔の前後方向の長さと、が略同一となっていることを特徴とする請求項２に記載の棚板連結装置。
【請求項４】
前記第１ブラケットは、該第１ブラケットの水平片の後方から前方に向けて延びる切欠きが設けられているとともに、前記第２ブラケットは、該第２ブラケットの水平片の前方から後方に向けて延びる切欠きが設けられていることを特徴とする請求項１に記載の棚板連結装置。
【発明の詳細な説明】
【技術分野】
【０００１】
本発明は、左右に配置された複数の棚板からなる棚部を有した収容棚における棚板連結装置に関する。
【背景技術】
【０００２】
倉庫等で使用される物品棚や図書館等で使用される書架等の収容棚において、左右に複数分割された棚板を用いて物品や書籍を収容する棚部を形成することがある。この棚板は、支柱やパネル等の立設体の係止孔に係止可能なブラケットを各棚板の両端に固定することにより、前記立設体に対して前記各棚板を取付ける方法が採用されていた。しかしながら、上記の態様では、前記収容棚に揺れ等が加わると、各ブラケットが相対的に離間するように移動し、隣接する棚板同士の境目に空間が形成され、当該空間から物品や書架が落下する虞があった。
【０００３】
そこで、例えば、特許文献１のような天板連結装置が開発されている。この天板連結装置は、第１のブラケットと、第２のブラケットと、連結プレートと、から構成されている。第１のブラケット及び第２のブラケットは、左右に隣接する第１の天板と第２の天板との向かい合う端部の下面にそれぞれ配置されており、第１のブラケット及び第２のブラケットには、連通する切り欠き孔が形成されている。この第１のブラケット及び第２のブラケットは、各切り欠き孔を介して挿入された連結プレートにより左右に相対移動することが防止された状態で連結されている。
【先行技術文献】
【特許文献】
【０００４】
【特許文献１】特許第３８０７８０９号公報（第２頁、第１図）
【発明の概要】
【発明が解決しようとする課題】
【０００５】
しかしながら、特許文献１にあっては、別体の連結プレートを用いて第１のブラケット及び第２のブラケットを連結していたため、部品点数が多くなり、コストが高くなるとともに、連結作業も煩雑であった。また、左右に延びる連結プレートが、その厚み分下方に突設するため、下段の棚板に収容された物品や書籍の邪魔になり、物品や書籍を傷つけたり、収容可能なスペースを狭める原因となっていた。
【０００６】
本発明は、このような問題点に着目してなされたもので、特段の連結部材を用いずに各ブラケット同士を一体化させ、左右の棚板の相対移動を確実に防止できる棚板連結装置を提供することを目的とする。
【課題を解決するための手段】
【０００７】
前記課題を解決するために、本発明の棚板連結装置は、
少なくとも第１板材と第２板材とが左右に隣接した部分を有する棚部が、床面から立設する立設体の前面に配置された収容棚における棚板連結装置であって、
前記第１板材を前記立設体に接続する第１ブラケットと、前記第２板材を前記立設体に接続する第２ブラケットと、を備え、
前記各ブラケットは、垂直に延びる垂直片と、前記垂直片の後端に設けられ前記立設体に列設された係止孔に係止可能なフックと、を有し、
前記第１ブラケットには、前記垂直片の上端から左右の一方に延びる水平片と、前記垂直片及び前記水平片との間に介在する角部と、が設けられ、前記第２ブラケットには、前記垂直片の上端から左右の他方に延びる水平片と、前記垂直片及び前記水平片との間に介在する角部と、が設けられており、
前記第１ブラケット及び前記第２ブラケットが前記立設体に係止されたときに、前記第１ブラケットの垂直片と水平片との角部が、前記第２ブラケットの垂直片上に位置するとともに、前記第２ブラケットの垂直片と水平片との角部が、前記第１ブラケットの垂直片上に位置することを特徴としている。
この特徴によれば、第１ブラケット及び第２ブラケットが前記立設体に係止されたときに、第１ブラケットの垂直片と水平片との角部及び第２ブラケットの垂直片と水平片との角部が、第１ブラケット及び第２ブラケット垂直片上に相互に位置することにより、第１ブラケットの水平片に固定された第１板材と、第２ブラケットの水平片に固定された第２板材とが水平状態となる。そのため、第１板材と第２板材とが左右方向に相対的に離間しようとしても、第１ブラケット及び第２ブラケットの垂直片同士が当接し、第１板材と第２板材とが左右方向に相対的に近接しようとしても、第１ブラケットの水平片と第２ブラケットの水平片とが当接するため、第１板材及び第２板材同士の固定を強固にできる。
【０００８】
前記第２ブラケットの水平片は、該第２ブラケットの垂直片の前後両端側に配置されていることを特徴としている。
この特徴によれば、第１板材と第２板材とが近接方向に移動した時には、第１ブラケットの水平片に対して、前後方向の両側に設けられた第２ブラケットの水平片がバランスよく当接するため、第１板材及び第２板材同士の固定を強固にできる。
【０００９】
前記第１ブラケットの前記角部の前後方向の長さと、前記第２ブラケットの前記水平片間の間隔の前後方向の長さと、が略同一となっていることを特徴としている。
この特徴によれば、第１ブラケットと第２ブラケットとの前後方向の相対移動が確実に規制されるため、第１板材及び第２板材同士の固定をより強固にできる。
【００１０】
前記第１ブラケットは、該第１ブラケットの水平片の後方から前方に向けて延びる切欠きが設けられているとともに、前記第２ブラケットは、該第２ブラケットの水平片の前方から後方に向けて延びる切欠きが設けられていることを特徴としている。
この特徴によれば、第１ブラケット及び第２ブラケットの水平片と、第１ブラケット及び第２ブラケットの切欠きと、を前後にスライドさせ、第１ブラケット及び第２ブラケットを左右に重ね合わせることにより、第１ブラケット及び第２ブラケットの水平片が水平状態となるため、で第１ブラケット及び第２ブラケットの連結作業が容易に行える。
【図面の簡単な説明】
【００１１】
【図１】実施例１における棚板連結装置が適用された書架を示す斜視図である。
【図２】書架上部の分解斜視図である。
【図３】（ａ）は、実施例１における第１ブラケットを示す斜視図であり、（ｂ）は、（ａ）のＡ−Ａ断面図である。
【図４】（ａ）は、実施例１における第２ブラケットを示す斜視図であり、（ｂ）は、（ａ）のＢ方向視図である。
【図５】実施例１における第１ブラケット及び第２ブラケットの連結作業時の様子を示す正面断面図である。
【図６】実施例１における第１ブラケット及び第２ブラケットの連結作業完了時の様子を示す正面断面図である。
【図７】第１ブラケット及び第２ブラケットの相互係合状態を示す斜視図である。
【図８】棚板連結装置により支柱に第１板材及び第２板材を連結した状態を示す正面断面図である。
【図９】実施例２における第１ブラケットを示す斜視図である。
【図１０】実施例２における第２ブラケットを示す斜視図である。
【図１１】（ａ）は、実施例２における第１ブラケット及び第２ブラケットの連結作業時の様子を示す正面断面図であり、（ｂ）は、実施例２における第１ブラケット及び第２ブラケットの連結作業完了時の様子を示す正面断面図である。
【図１２】実施例３における第１ブラケットを示す斜視図である。
【図１３】実施例３における第２ブラケットを示す斜視図である。
【図１４】実施例３における第１ブラケット及び第２ブラケットの連結作業完了時の様子を示す斜視図である。
【発明を実施するための形態】
【００１２】
本発明に係る棚板連結装置を実施するための形態を実施例に基づいて以下に説明する。
【実施例１】
【００１３】
実施例１に係る棚板連結装置につき、図１から図８を参照して説明する。以下、図１の画面左側を棚板連結装置が適用された書架の正面側（前方側）とし、書架の正面視左右側を左右側として説明する。
【００１４】
図１の符号１は、棚板連結装置であり、書架２（収容棚）は、棚板連結装置１が適用されたものである。尚、本実施例の棚板連結装置１は、書架２の上端に配置される天板部７を構成する左右の第１板材８及び第２板材９を連結する際に用いられるものとして説明する。
【００１５】
図１に示されるように、書架２は、床面から立設し左右方向に離間して複数配置される支柱３，３，…（立設体）と、支柱３，３，…の上端及び下端を繋ぐ横杆部材４，４，…と、支柱３，３，…の前後面に複数設けられた棚部５，５，…と、左右両端に配置された支柱３，３の外側に取付けられた側板６，６と、書架２よりも上方に突出した両側板６，６の上端部の間に配置された天板部７と、を備えている。この棚部５，５，…は、本実施例において左右に２列で上下に複数段設けられており、多数の書籍が収容可能と成っている。尚、以下、書架２の前面側の態様について主に説明し、書架２の後面側の説明を省略する。
【００１６】
図１及び図２に示されるように、支柱３の前後面には、上下に複数設けられる係合孔３ａ，３ａ，…が設けられている。また、棚部５は、支柱３の係合孔３ａに係合可能なフック１０，１０，…を備えたブラケット部材１１，１１と、ブラケット部材１１，１１の間に配置される棚板１２とから成る。このブラケット部材１１のフック１０，１０，…を適宜選択した支柱３の係合孔３ａ，３ａ，…に係合させることで任意の高さに棚部５を形成できるようになっている。
【００１７】
図２に示されるように、書架２の側板６，６は、上下に延びる嵌合溝６ａ，６ａ（片方のみ図示）をそれぞれ有し、嵌合溝６ａ，６ａを支柱３，３に嵌合させた状態で、図示しないボルト等により支柱３，３に固定されるようになっている。また、天板部７は、左右の第１板材８及び第２板材９とからなり、第１板材８及び第２板材９の対向する面８ａ，９ａ同士が、中央に配置された支柱３の上端部で当接するように配置される。
【００１８】
図２に示されるように、天板部７の第１板材８及び第２板材９は、棚板連結装置１により接続されて中央の支柱３に接続固定されている。この棚板連結装置１は、第１板材８及び第２板材９の当接部に配され、第１板材８を中央の支柱３に接続する第１ブラケット１５と、第２板材９を中央の支柱３に接続する第２ブラケット１６と、備えている。また、天板部７の右端部、即ち第１板材８の右端部は、第２ブラケット１６により右側の支柱３に接続固定されており、天板部７の左端部、即ち第２板材９の左端部は、第１ブラケット１５により左側の支柱３に接続固定されている。このように、天板部７の両端部は、棚板連結装置１を構成する第１ブラケット１５及び第２ブラケット１６を流用して固定することができ、汎用性が高くなっている。
【００１９】
先ず、第１ブラケット１５について説明する。図３（ａ）に示されるように、第１ブラケット１５は、金属製の平板の所定箇所に前後両端から中央部に向けて延びた切欠き１５５，１５５を形成し、その金属製平板を折り曲げることにより正面視Ｌ字状に形成されている。この第１ブラケット１５は、垂直に延びる垂直片１５１と、垂直片１５１の上端から右側に延びる右方水平片１５２と、垂直片１５１の後端に設けられるフック１５３，１５３と、垂直片１５１及び右方水平片１５２の間に介在する角部１５４と、を備えており、図３（ｂ）に示されるように、切欠き１５５は、Ａ−Ａ断面視で垂直片１５１の上端面１５１ａから右方水平片１５２方向に延びるように配置されている。つまり、第１ブラケット１５の角部１５４は、垂直片１５１の上端面１５１ａから上方に延びる部位と、右方水平片１５２の基端部１５２ｂと、から成る。また、この右方水平片１５２は、前後両端部に上下に貫通する孔部１５２ａ，１５２ａを有している。
【００２０】
次に、第２ブラケット１６について説明する。図４に示されるように、第２ブラケット１６は、金属製の平板の前後両端を残して上方から切欠き１６５を形成し、その金属製平板を折り曲げることにより正面視Ｌ字状に形成されている。この第２ブラケット１６は、垂直に延びる垂直片１６１と、垂直片１６１の前後上端から左側に延びる左方水平片１６２，１６２と、垂直片１６１の後端に設けられるフック１６３，１６３と、垂直片１６１及び左方水平片１６２，１６２の間に介在する角部１６４，１６４と、を備えている。左方水平片１６２，１６２は、切欠き１６５を形成時に前記金属製平板の前後に残された部位であり、左方水平片１６２，１６２間の間隔が切欠き１６５となっている。この切欠き１６５は、第１ブラケット１５の角部１５４の前後方向の長さ寸法と、略同一の寸法となっている。また、左方水平片１６２，１６２は、上下に貫通する孔部１６２ａ，１６２ａをそれぞれ有している。
【００２１】
続いて、第１ブラケット１５及び第２ブラケット１６の連結方法について図５及び図６を用いて説明する。図５に示されるように、第１ブラケット１５に対して、第２ブラケット１６を傾斜させる。そして、傾斜した第２ブラケット１６の左方水平片１６２，１６２を、第１ブラケット１５の右斜め下方から第１ブラケット１５の切欠き１５５，１５５に向けて挿通させる。その後、図６に示されるように、第２ブラケット１６を徐々に上昇させながら回転させることにより、第１ブラケット１５の切欠き１５５，１５５に第２ブラケット１６の左方水平片１６２，１６２をさらに挿入する。
【００２２】
図６及び図７に示されるように、第２ブラケット１６の左方水平片１６２，１６２を、第１ブラケット１５の切欠き１５５，１５５に挿入する挿入作業完了時には、第１ブラケット１５の切欠き１５５，１５５と第２ブラケット１６の左方水平片１６２，１６２とが係合した状態となるとともに、第１ブラケット１５における右方水平片１５２の基端部１５２ｂが、第２ブラケット１６の切欠き１６５に係合された状態となる。
【００２３】
上記の第１ブラケット１５及び第２ブラケット１６の相互係合状態にあっては、図６及び図７に示されるように、第１ブラケット１５の右方水平片１５２と第２ブラケット１６の左方水平片１６２，１６２とは、同一の水平線上に配置され、第１ブラケット１５の垂直片１５１と第２ブラケット１６の垂直片１６１とは、平行に面当接した状態で左右に配置される。
【００２４】
また、図６及び図７に示されるように、第１ブラケット１５の右方水平片１５２の基端部１５２ｂは、第２ブラケット１６の垂直片１６１の上端面に支持された状態となり、第２ブラケット１６の左方水平片１６２，１６２は、第１ブラケット１５の垂直片１５１の上端面１５１ａに支持された状態となる。また、図７に示されるように、第１ブラケット１５のフック１５３，１５３と、第２ブラケット１６のフック１６３，１６３とが上下左右に重なった状態となる。
【００２５】
次いで、図２及び図８に示されるように、相互係合状態の第１ブラケット１５及び第２ブラケット１６を、中央の支柱３に係合させる。そして、第１ブラケット１５の右方水平片１５２に第１板材８の下面８ｂの左側端部を載置し、第２ブラケット１６の左方水平片１６２，１６２に第２板材９の下面９ｂの右側端部を載置するとともに、前述した孔部１５２ａ，１５２ａと孔部１６２ａ，１６２ａとに、ビス１７，１７，…を打ち込むことにより、第１板材８及び第２板材９が固定される。これにより、第１板材８及び第２板材９の連結作業が完了する。
【００２６】
上記したように、第１ブラケット１５及び第２ブラケット１６を相互に係合させることにより、第１ブラケット１５の右方水平片１５２と第２ブラケット１６の左方水平片１６２，１６２とが同一の水平線上に配置され、第１ブラケット１５の垂直片１５１と第２ブラケット１６の垂直片１６１とが平行に面当接した状態で左右に配置される。そのため、第１板材８と第２板材９とが左右方向に相対的に離間しようとしても、第１ブラケット１５及び第２ブラケット１６の垂直片１５１及び垂直片１６１同士が当接し、第１板材８と第２板材９との離間が防止される。また、第１板材８と第２板材９とが左右方向に相対的に近接しようとしても、第１ブラケット１５の右方水平片１５２と第２ブラケット１６の左方水平片１６２，１６２とが当接し、第１板材８と第２板材９との近接が防止される。したがって、例えば地震等の強い揺れが発生しても、第１板材８と第２板材９とが、左右の相対移動を防止された状態で強固に固定される。
【００２７】
このように、相互に係合させることのみで、第１ブラケット１５及び第２ブラケット１６を外れにくく一体化できるため、第１ブラケット１５及び第２ブラケット１６の接続用のビス等を別途に必要とせず、部品点数を減らして製造コストを抑えることができる。また、左右方向に前記ビス等が張り出さないため、棚部５に収容された書籍を傷つけるおそれがないばかりか、棚部５の収容スペースを狭めることがない。
【００２８】
また、第１ブラケット１５の切欠き１５５，１５５は、第１ブラケット１５の角部１５４の前後両端に形成されているとともに、第２ブラケット１６の左方水平片１６２，１６２は、垂直片１６１の前後両端に配置されている。これにより、第１板材８と第２板材９とが左右方向に相対的に近接しようとした時には、第１ブラケット１５の右方水平片１５２に対して、第２ブラケット１６の左方水平片１６２，１６２が前後両端にバランスよく当接することとなる。そのため、第１板材８と第２板材９との相対的な傾きを抑え、第１板材８と第２板材９との強固な固定状態が保たれる。また、第１ブラケット１５の右方水平片１５２に対して、第２ブラケット１６の左方水平片１６２，１６２のいずれかが片当たりすることにより発生する第１ブラケット１５及び第２ブラケット１６の変形等が防がれる。
【００２９】
また、第１ブラケット１５の右方水平片１５２の基端部１５２ｂの前後方向の長さ寸法と、第２ブラケット１６の左方水平片１６２，１６２間の長さ寸法と、は、略同一となっているため、第１ブラケット１５と第２ブラケット１６とが相互係合状態時には、第１ブラケット１５と第２ブラケット１６との前後方向の相対移動が確実に規制される。そのため、第１板材８と第２板材９との固定状態をさらに強固とすることができる。
【００３０】
また、第１ブラケット１５及び第２ブラケット１６の相互係合状態にあっては、第１ブラケット１５の右方水平片１５２の基端部１５２ｂは、第２ブラケット１６の垂直片１６１の上端面に支持され、第２ブラケット１６の左方水平片１６２，１６２は、第１ブラケット１５の垂直片１５１の上端面１５１ａに支持される。そのため、第１ブラケット１５及び第２ブラケット１６の上下方向の相対移動も防止される。
【実施例２】
【００３１】
次に、実施例２に係る棚板連結装置１００につき、図９から図１１を参照して説明する。尚、前記実施例と同一構成で重複する構成の説明を省略する。
【００３２】
図９に示されるように、第１ブラケット２５は、右方水平片２５２が垂直片２５１から前後同一幅で連続してＬ字状に形成されているとともに、第１ブラケット２５の角部２５４の前後両端側に切欠き孔２５５，２５５が設けられている。この切欠き孔２５５は、第１ブラケット２５の角部２５４に沿って断面視Ｌ字形状に形成されている。
【００３３】
また、図１０に示されるように、第２ブラケット２６は、左方水平片２６２，２６２が垂直片２６１の上端から第１ブラケット２５の切欠き孔２５５，２５５にそれぞれ挿入可能な位置に設けられている。
【００３４】
図１１（ａ）に示されるように、第１ブラケット２５及び第２ブラケット２６を係合させる際には、先ず、第１ブラケット２５の切欠き孔２５５，２５５に対して、第２ブラケット２６の左方水平片２６２，２６２を、第１ブラケット２５の右方水平片２５２の下側から水平に挿入する。このとき、第１ブラケット２５の右方水平片２５２と第２ブラケット２６の左方水平片２６２，２６２とは、上下にずれた位置に配置されるようになっている。
【００３５】
図１１（ｂ）に示されるように、第１ブラケット２５のフック２５３，２５３と、第２ブラケット２６のフック２６３，２６３と、を上下左右に重ね合わせた状態で第１ブラケット２５と第２ブラケット２６とから成る棚板連結装置１００を支柱３に係合することで、第１ブラケット２５の右方水平片２５２と第２ブラケット２６の左方水平片２６２，２６２とが水平状態となる。
【００３６】
このように、第１ブラケット２５に切欠き孔２５５，２５５を設けることで、第１ブラケット２５の角部２５４の前後両端が残存するため、第１ブラケット２５の右方水平片２５２と垂直片２５１との屈曲強度を高めることができる。
【００３７】
また、第１ブラケット２５の切欠き孔２５５，２５５は、第１ブラケット２５の角部２５４に沿って断面視Ｌ字形状に形成されているため、第２ブラケット２６の左方水平片２６２，２６２を、第１ブラケット２５の右方水平片２５２の下側から水平に挿入することができるため、第１ブラケット２５と第２ブラケット２６との連結作業が容易である。
【実施例３】
【００３８】
次に、実施例３に係る棚板連結装置１０１につき、図１２から図１４を参照して説明する。尚、前記実施例と同一構成で重複する構成の説明を省略する。
【００３９】
図１２に示されるように、第１ブラケット３５は、右方水平片３５２が垂直片３５１から前後同一幅で連続してＬ字状に形成されているとともに、第１ブラケット３５の角部３５４の後端にから中央にむけて切欠き３５５が設けられている。
【００４０】
図１３に示されるように、第２ブラケット３６は、左方水平片３６２が垂直片３６１から前後同一幅で連続してＬ字状に形成されているとともに、第２ブラケット３６の角部３６４の前端にから中央にむけて切欠き３６５が設けられている。
【００４１】
図１４に示されるように、第２ブラケット３６の左方水平片３６２の基端部３６２ａが、第１ブラケット３５の切欠き３５５に係合されることにより、第１ブラケット３５の右方水平片３５２の基端部３５２ａが、第２ブラケット３６の切欠き３６５に係合される。このとき、第１ブラケット３５の右方水平片３５２と第２ブラケット３６の左方水平片３６２とは、水平状態となっている。
【００４２】
このように、第１ブラケット３５と第２ブラケット３６とを前後にスライドさせて相互に係合させることにより、第１ブラケット３５の右方水平片３５２と第２ブラケット３６の左方水平片３６２とが水平状態となるため、第１ブラケット３５と第２ブラケット３６との連結作業を極めて容易に行うことができる。
【００４３】
以上、本発明の実施例を図面により説明してきたが、具体的な構成はこれら実施例に限られるものではなく、本発明の要旨を逸脱しない範囲における変更や追加があっても本発明に含まれる。
【００４４】
例えば、前記実施例では、棚板連結装置１が適用される収容棚を書架２として説明したが、これに限られず、棚板連結装置１は、倉庫で用いられる物品収容棚に適用されてもよいし、コンビニやスーパー等で使用される陳列棚に適用されてもよい。
【００４５】
また、棚板連結装置１は、天板部７の第１板材８と第２板材９を連結して支柱３に接続固定するものに限らず、例えば、第１ブラケット及び第２ブラケットを用いて左右の第１板材及び第２板材を連結し、支柱に固定することにより、棚部を構成してもよい。
【００４６】
また、天板部７の左右端部を第１ブラケット１５及び第２ブラケットを流用して取り付ける態様について説明したが、これに限られず、別体のＬ字ブラケットを用いて天板部７の左右端部を固定接続してもよい。
【００４７】
また、第１ブラケット１５の角部１５４は、垂直片１５１の上端面１５１ａから上方に延びる部位と、右方水平片１５２の基端部１５２ｂと、から構成される態様について説明したが、これに限られず、例えば、第１ブラケットの角部は、垂直片１５１の上端面１５１ａから上方に延びる部位のみを指してもよい。
【００４８】
また、第１ブラケット及び第２ブラケットは、板材を折り曲げることにより、各垂直片及び水平片をＬ字状に形成したが、これに限らず、各垂直片と水平片を溶接等で固着して形成されてもよい。
【００４９】
尚、立設体は、支柱３に限られず、例えば、床面から立設されるパネルであっても構わない。
【符号の説明】
【００５０】
１                棚板連結装置
２                書架（収容棚）
３                支柱（立設体）
３ａ              係合孔
５                棚部
７                天板部
８                第１板材
９                第２板材
１３，１４        Ｌ字ブラケット
１５，２５，３５  第１ブラケット
１６，２６，３６  第２ブラケット
１００，１０１    棚板連結装置
１５１            第１ブラケットの垂直片
１５２            右方水平片
１５２ｂ          右方水平片の基端部
１５３            第１ブラケットのフック
１５４            第１ブラケットの角部
１５５            第１ブラケットの切欠き
１６１            第２ブラケット垂直片
１６２            左方水平片
１６３            第２ブラケットのフック
１６４            第２ブラケットの角部
１６５            第２ブラケットの切欠き
２５１            第１ブラケットの垂直片
２５２            右方水平片
２５３            第１ブラケットのフック
２５４            第１ブラケットの角部
２５５            第１ブラケットの切欠き孔
２６１            第２ブラケットの垂直片
２６２            左方水平片
２６３            第２ブラケットのフック
３５１            第１ブラケットの垂直片
３５２            右方水平片
３５４            第１ブラケットの角部
３５５            第１ブラケットの切欠き
３５２ａ          第１ブラケットの基端部
３６１            第２ブラケットの垂直片
３６２ａ          第２ブラケットの基端部
３６２            左方水平片
３６４            第２ブラケットの角部
３６５            第２ブラケットの切欠き
【図１】
2015136392.tif 000003
【図２】
2015136392.tif 000004
【図３】
2015136392.tif 000005
【図４】
2015136392.tif 000006
【図５】
2015136392.tif 000007
【図６】
2015136392.tif 000008
【図７】
2015136392.tif 000009
【図８】
2015136392.tif 000010
【図９】
2015136392.tif 000011
【図１０】
2015136392.tif 000012
【図１１】
2015136392.tif 000013
【図１２】
2015136392.tif 000014
【図１３】
2015136392.tif 000015
【図１４】
2015136392.tif 000016